(57)【要約】【課題】好適な特性を有する光学装置を提供する。【解決手段】  光が通過可能な光通過領域（１５）の外側に備えられ、波長４００ｎｍ以上７００ｎｍ未満の光の反射率が２０％以上６０％以下であり、波長１０００ｎｍ以上１７００ｎｍ未満の光の反射率が６０％以上である反射面（４４，５４）が、少なくとも一部に備えられた筒状部（１２，５３）を含むことを特徴とする光学装置。【選択図】図３
2010262181.tif 000002
【特許請求の範囲】
【請求項１】
光が通過可能な光通過領域の外側に備えられ、波長４００ｎｍ以上７００ｎｍ未満の光の反射率が２０％以上６０％以下であり、波長１０００ｎｍ以上１７００ｎｍ未満の光の反射率が６０％以上である反射面が、少なくとも一部に備えられた筒状部を含むことを特徴とする光学装置。
【請求項２】
光が通過可能な光通過領域の外側に備えられ、波長４００ｎｍ以上７００ｎｍ未満の光の反射率が６０％以上８０％以下であり、波長１０００ｎｍ以上１７００ｎｍ未満の光の反射率が８０％以上である反射面が、少なくとも一部に備えられた筒状部を含むことを特徴とする光学装置。
【請求項３】
請求項２に記載された光学装置であって、
前記反射面は、波長８００ｎｍ以上９００ｎｍ未満の光の平均反射率が、波長７００ｎｍの光の反射率より高いことを特徴とする光学装置。
【請求項４】
請求項１から請求項３までの何れか１項に記載された光学装置であって、
前記反射面は、前記光通過領域の外側に備えられた基材の外側に形成される塗膜を有することを特徴とする光学装置。
【請求項５】
請求項４に記載された光学装置であって、
前記塗膜は、Ａｌ，Ａｕ，Ａｇ，Ｎｉ，Ｃｕのうちから選択された少なくとも１つの元素を含有することを特徴とする光学装置。
【請求項６】
請求項５に記載された光学装置であって、
前記塗膜は、板状もしくは箱形状の外形状の金属粉を有することを特徴とする光学装置。
【請求項７】
請求項４から請求項６までの何れか１項に記載された光学装置であって、
前記基材は、ポリカーボネート、マグネシウム系合金、アルミニウム系合金、マグネシウム、アルミニウム、カーボン・樹脂複合材から選択された少なくとも１つを有することを特徴とする光学装置。
【請求項８】
請求項４から請求項７までの何れか１項に記載された光学装置であって、
前記塗膜は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有することを特徴とする光学装置。
【発明の詳細な説明】
【技術分野】
【０００１】
本発明は、光学装置に関する。
【背景技術】
【０００２】
カメラに備えられるレンズ鏡筒等の光学装置は、太陽光のような赤外線を含む光線を多量に照射される環境下で使用される場合がある。従来技術に係る光学装置では、太陽光が多量に照射される環境下で用いられた場合、照射熱によって光学装置の温度が上昇するという問題が発生している。
【０００３】
レンズ鏡筒等の温度上昇を防止するための従来技術としては、例えば筐体の表面に可逆感温変色層を備えた光学装置が知られている（特許文献１等参照）。しかし、従来技術に係る光学装置は、照射熱による光学装置の温度上昇を十分に抑制することができず、また、温度上昇を防止するために、外装の色が大きく変化してしまうという問題を有している。
【先行技術文献】
【特許文献】
【０００４】
【特許文献１】特開２００７−４９３７０号公報
【発明の概要】
【発明が解決しようとする課題】
【０００５】
本発明は、このような実状に鑑みてなされ、その目的は、好適な特性を有する光学装置を提供することである。
【課題を解決するための手段】
【０００６】
上記目的を達成するために、本発明の第１の観点に係る光学装置は、
光が通過可能な光通過領域（１５）の外側に備えられ、波長４００ｎｍ以上７００ｎｍ未満の光の反射率が２０％以上６０％以下であり、波長１０００ｎｍ以上１７００ｎｍ未満の光の反射率が６０％以上である反射面（４４，５４）が、少なくとも一部に備えられた筒状部（１２，５３）を含む。
【０００７】
また、本発明の第２の観点に係る光学装置は、
光が通過可能な光通過領域の外側（１５）に備えられ、波長４００ｎｍ以上７００ｎｍ未満の光の反射率が６０％以上８０％以下であり、波長１０００ｎｍ以上１７００ｎｍ未満の光の反射率が８０％以上である反射面（２４，５４）が、少なくとも一部に備えられた筒状部（１２，５３）を含む。
【０００８】
また、例えば、本発明の第２の観点に係る光学装置において、前記反射面は、波長８００ｎｍ以上９００ｎｍ未満の光の平均反射率が、波長７００ｎｍの光の反射率より高くてもよい。
【０００９】
また、例えば、前記反射面は、前記光通過領域の外側に備えられた基材（３６）の外側に形成される塗膜（３２，４６）を有してもよい。
【００１０】
また、例えば、前記塗膜は、Ａｌ，Ａｕ，Ａｇ，Ｎｉ，Ｃｕのうちから選択された少なくとも１つの元素を含有してもよい。
【００１１】
また、例えば、前記塗膜は、板状もしくは箱形状の外形状の金属粉を有してもよい。
【００１２】
また、例えば、前記基材は、ポリカーボネート、マグネシウム系合金、アルミニウム系合金、マグネシウム、アルミニウム、カーボン・樹脂複合材から選択された少なくとも１つを有していても良い。
【００１３】
また、例えば、前記塗膜は、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有してもよい。
【００１４】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１５】
【図１】図１は、本発明の第１実施形態に係るレンズ鏡筒の全体図である。
【図２】図２（Ａ）は、図１に示すレンズ鏡筒の断面図であり、図２（Ｂ）は、図２（Ａ）に示す反射面の拡大模式図である。
【図３】図３は、図２に示す反射面と、図５に示す第１参考例に係るレンズ鏡筒に備えられる外装面の分光反射率を表すグラフである。
【図４】図４（Ａ）は、本発明の第２実施形態に係るレンズ鏡筒の断面図であり、図４（Ｂ）は、図４（Ａ）に示す反射面の拡大模式図である。
【図５】図５は、図４に示す反射面と、図５に示す第２参考例に係るレンズ鏡筒に備えられる外装面の分光反射率を表すグラフである。
【図６】図６は、本発明の一実施形態に係るレンズフードおよび当該レンズフードが取り付けられるレンズ鏡筒の全体図である。
【図７】図７（Ａ）は、本発明の第１参考例に係るレンズ鏡筒の断面図であり、図７（Ｂ）は、図７（Ａ）に示す外装面の拡大模式図である。
【図８】図８（Ａ）は、本発明の第２参考例に係るレンズ鏡筒の断面図であり、図８（Ｂ）は、図８（Ａ）に示す外装面の拡大模式図である。
【発明を実施するための形態】
【００１６】
第１実施形態
図１は、本発明の第１実施形態に係るレンズ鏡筒１０の全体図である。レンズ鏡筒１０は、レンズ鏡筒１０の外周を構成する筒状部１２を有している。筒状部１２は、無底の略円筒形状を有しており、略円筒形状の筒状部１２の中心軸Ｌに沿う方向に、光が通過可能な光通過領域１５が形成されている。
【００１７】
筒状部１２の内部に形成されている光通過領域１５には、光学レンズ群１３が備えられている。光学レンズ群１３は、レンズ鏡筒１０の一方の端部である被写体側の端部１２ａから入射した光を、レンズ鏡筒１０の他方の端部である撮像面側の端部１２ｂに、出射することができる。また、本実施形態に係るレンズ鏡筒１０は、被写体側から入射した光の像を、当該光を撮像面側に出射した後の所定の位置で、形成することができる。
【００１８】
レンズ鏡筒１０の外周を形成する筒状部１２の撮像面側の端部１２ｂには、不図示のカメラ本体部が取り付けられる。カメラ本体部は、レンズ鏡筒１０に備えられる光学レンズ群１３によって形成される光の像を記録する記録媒体等を有する。また、筒状部１２の被写体側の端部１２ａには、レンズ鏡筒１０の光通過領域１５に不要な光が入射することを防止するために、図６に示すようなレンズフード５０が取り付けられても良い。
【００１９】
なお、実施形態では主としてレンズ鏡筒１０を例に挙げて説明を行うが、本発明に係る光学装置としてはこれに限定されない。本発明に係る光学装置としては、レンズ鏡筒１０の他に、例えばレンズフード、カメラボディおよびカメラ（レンズ鏡筒とカメラとが一体化したもの）等が挙げられる。また、本発明に係る光学装置はスチルカメラや、スチルカメラに備えられるレンズ鏡筒に限定されるものではなく、ビデオカメラ、テレコンバータ、望遠鏡、双眼鏡、単眼鏡を含む。
【００２０】
図１に示すレンズ鏡筒１０は、筒状部１２を支持する支持台を取付け可能な支持台取付部１６を有する。支持台取付部１６は、レンズ鏡筒１０の筒状部１２を挿通させるリング部１７と、三脚等の支持台を取付けるための支持台固定孔２８が形成されている座部１８とを有する。また、支持台取付部１６のリング部１７には、筒状部１２に対して支持台取付部１６を固定するための取付ねじ１９が備えられている。また、筒状部１２には、焦点距離等の情報を表示するための距離目盛り２０が備えられている。距離目盛り２０は、例えば、撮影者がカメラを正位置に構えたとき、筒状部１２の上方に位置するように配置されている。
【００２１】
また、レンズ鏡筒１０には、レンズ鏡筒１０に備えられる光学レンズ群１３の焦点調整を行うための回転環１４が取り付けられている。回転環１４は、光学レンズ群１３を構成する焦点調整レンズの移動を操作するための操作部材である。レンズ鏡筒１０およびカメラ等を使用する撮影者は、回転環１４を回転させることによって、光学レンズ群１３の一部である焦点調整レンズの移動を操作し、レンズ鏡筒１０の焦点調整を行うことができる。
【００２２】
なお、レンズ鏡筒１０に取り付けられる回転環１４は、本実施形態のように光学レンズ群１３の焦点調整を行ういわゆるフォーカス環に限られない。例えば、光学レンズ群１３と撮像面の焦点距離を調整するズーム環や、光学レンズ群１３を透過する光の量を調整する絞り環等であってもよい。
【００２３】
本実施形態に係る筒状部１２は、日射反射率を高めた反射面２４を備えている。反射面２４は、図１において斜線ハッチングされた部分に備えられており、回転環１４や距離目盛り２０等が配置される部分を除き、筒状部１２の略全体に備えられている。
【００２４】
図３は、図２に示す反射面２４と、図７に示す第１参考例に係るレンズ鏡筒に備えられる外装面８０の分光反射率を表すグラフである。図３では、第１実施形態に係る反射面２４の概算データを実線３３で示し、第１参考例に係る外装面８０の概算データを、点線８１で示す。
【００２５】
図３において実線３３で示すように、反射面２４は、波長４００ｎｍ以上７００ｎｍ未満の光の反射率が６０％以上８０％以下であり、波長１０００ｎｍ以上１７００ｎｍ未満の光の反射率が８０％以上である。ここで、波長４００ｎｍ以上７００ｎｍ未満の光は、人間が視認できる可視光領域に含まれる波長の光である。また、波長１０００ｎｍ以上１７００ｎｍ未満の光は、人間はほとんど視認できないが、物体に熱エネルギーを与える赤外領域に含まれる波長の光である。
【００２６】
すなわち、反射面２４は、赤外領域に含まれる波長１０００ｎｍ以上１７００ｎｍ未満の光を反射する反射率が、可視光領域に含まれる波長４００ｎｍ以上７００ｎｍ未満の光の反射率より高い。したがって、反射面２４を備える筒状部１２は、当該反射面２４と可視光反射率が同等である従来技術にかかる外装面を備えるレンズ鏡筒と比較して、日射等によってレンズ鏡筒１０の温度が上昇することをより効果的に防止できる。
【００２７】
図２（Ａ）は、図１に示すレンズ鏡筒１０の断面図であり、図２（Ｂ）は、図２（Ａ）に示す反射面の拡大模式図である。図２（Ａ）に示すように、本実施形態に係る筒状部１２に備えられる反射面２４は、光通過領域１５の外側に備えられた基材３６の外側に形成されるメタリック遮熱塗膜３２を有している。
【００２８】
光通過領域１５の外側に備えられる基材３６は、筒状部１２の内部に備えられる光学レンズ群１３等の光学部品や、筒状部１２の外部に備えられる回転環１４等の部品を支持するために、適切な剛性を有する材料によって構成される。基材３６は、軽量であって剛性の高い材料を用いて構成されることが好ましく、例えば、ポリカーボネート、マグネシウム合金、アルミニウム合金、マグネシウム、アルミニウム等の材料を用いて構成することができる。
【００２９】
基材３６の外側に形成されるメタリック遮熱塗膜３２は、基材３６の表面に、たとえばスプレー塗布等によって形成される塗膜によって構成される。図２（Ｂ）に示すように、本実施形態に係るメタリック遮熱塗膜３２には、反射面２４の反射率を向上させるために、金属粒子３８と赤外線反射顔料４０が含まれる。
【００３０】
メタリック遮熱塗膜３２に含まれる金属粒子３８としては、Ａｌ，Ａｕ，Ａｇ，Ｎｉ，Ｃｕのうちから選択された元素を含有することが好ましく、ＡｌもしくはＡｌ系合金を含むことが特に好ましい。これらの元素を含有する金属粒子３８は、広い波長領域において光の反射率が高いため、反射面２４の反射率を、全体的に高めることができる。
【００３１】
メタリック遮熱塗膜３２に含まれる金属粒子３８の形状は、特に限定されないが、金属粒子３８が板状もしくは箱形状の外形状を有することが、反射面２４の反射率を向上させる観点から好ましい。
【００３２】
メタリック遮熱塗膜３２には、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有する赤外線反射顔料４０が含まれることが好ましい。本実施形態に係るメタリック遮熱塗膜３２は、酸化珪素またはＴｉＯ２を主成分とする赤外線反射顔料４０を含んでいることが好ましく、赤外領域の光の反射率が高い。ただし、メタリック遮熱塗膜３２に含まれる赤外線反射顔料４０としては、酸化珪素やＴｉＯ２を主成分とするものに限定されず、Ｓｉ，Ａｌ，Ｔｉ，Ｆｅ，Ｚｎ，Ｃｏ，Ｍｇ，Ｃａ，Ｓｒ，Ｂａ，Ｃｕの酸化物等を、メタリック遮熱塗膜３２に含まれる樹脂や着色料等に合わせて用いることができる。
【００３３】
本実施形態に係るメタリック遮熱塗膜３２は、金属粒子３８および赤外線反射顔料４０の他に、金属粒子３８および赤外線反射顔料４０を取り囲むように層を形成している樹脂を有する。すなわち、メタリック遮熱塗膜３２は、樹脂のモノマーの中に、金属粒子３８および赤外線反射顔料４０を分散させた塗料を、基材３６の表面に塗布等することによって、形成することができる。
【００３４】
ここで、従来技術に係るレンズ鏡筒に用いられる外装面のうち、可視領域に含まれる波長４００ｎｍ以上７００ｎｍ未満の光の反射率が６０％以上８０％以下となる外装面としては、外装面の表面に形成される塗膜に金属粒子を含むものが知られている。図７（Ａ）は、本発明の第１参考例に係るレンズ鏡筒の断面図であり、図７（Ｂ）は、図７（Ａ）に示す外装面８０の拡大模式図である。図７（Ａ）に示すように、外装面８０は、基材８４と、基材８４の表面に形成されたメタリック塗膜８２によって構成される。
【００３５】
図７（Ｂ）に示すように、メタリック塗膜８２は、基材８４の外側表面に形成された塗膜であり、金属粒子３８を含んでおり、可視光の反射率についてはメタリック遮熱塗膜３２と同等である。金属粒子３８を含むメタリック塗膜８２は、塗膜等を構成する他の材料である樹脂等と比較して、可視領域の光の反射率も、赤外領域の光の反射率も高い傾向にある。したがって、メタリック塗膜８２を有する外装面８０は、図３において点線８１で示す分光反射率が、概ね６０％以上であり、高い反射率を有する。しかし、メタリック塗膜８２を有する外装面８０は、金属元素の電子状態等に起因して、図３において点線８１で示すように、波長８００ｎｍ〜９００ｎｍ程度の光の反射率が、その周辺の領域より低くなるという問題を有している。
【００３６】
本実施形態に係る反射面２４は、図３おいて実線３３で示すように、波長８００ｎｍ以上９００ｎｍ未満の光の反射率が、波長７００ｎｍの光の反射率より高く、従来技術に係る外装面８０が有する問題が解決されている。すなわち、メタリック遮熱塗膜３２を有する反射面２４は、金属粒子３８に加えて赤外線反射顔料４０を有するため、波長８００ｎｍ〜９００ｎｍ程度の光の反射率がその周辺の領域より低くなるという問題を解決している。また、メタリック遮熱塗膜３２を有する反射面２４は、その他の赤外領域である波長１０００ｎｍ以上１７００ｎｍ未満の光の反射率についても、メタリック塗膜８２を備える外装面８０より高い。
【００３７】
したがって、本実施形態に係るレンズ鏡筒１０は、野外イベント等のように、強い日射を受ける環境で使用された場合でも、レンズ鏡筒１０の温度上昇を効果的に防止できる。また、温度上昇を防止することによって、レンズ鏡筒１０の表面が熱せられて撮影者が素手で振れることが難しくなったり、レンズ鏡筒１０の内部に備えられる光学部品が、熱により悪影響を受ける現象を、防止することができる。
【００３８】
反射面２４に備えられるメタリック遮熱塗膜３２は、図２（Ｂ）に示すように、基材３６の外側に形成されており金属粒子３８と、酸化物等からなる赤外線反射顔料４０とを含むことが好ましい。金属粒子３８は、広い波長領域において光の反射率を向上させ、赤外線反射顔料４０は赤外領域の光の反射率を選択的に向上させるため、メタリック遮熱塗膜３２は、波長１０００ｎｍ以上１７００ｎｍ未満の光の反射率が８０％以上であり、赤外領域の光の反射率が非常に高い外装面を実現できる。
【００３９】
反射面２４に含まれるメタリック遮熱塗膜３２は、塗布により形成された塗膜であるため、このような反射面２４は、基材３６の表面に塗料を塗布することによって容易に形成することができる。したがって、塗膜によって構成される反射面２４を備えるレンズ鏡筒１０は、製造が容易であり、生産性に優れている。ただし、反射面２４の製造方法としては、塗膜形成を行うものに限定されない。
【００４０】
第２実施形態
図４（Ａ）は、本発明の第２実施形態に係るレンズ鏡筒の断面図であり、図４（Ｂ）は、図４（Ａ）に示す反射面４４の拡大模式図である。第２実施形態に係るレンズ鏡筒は、反射面４４がメタリック遮熱塗膜３２の代わりにクリーム色遮熱塗膜４６を有する点で、第１実施形態に係るレンズ鏡筒１０と異なるが、その他の構成は、レンズ鏡筒１０と同様である。
【００４１】
図４（Ａ）に示すように、本実施形態に係る反射面４４は、光通過領域１５の外側に備えられた基材３６の外側に形成されるクリーム色遮熱塗膜４６を有している。基材３６の外側に形成されるクリーム色遮熱塗膜４６は、基材３６の表面に、たとえばスプレー塗布等によって形成される塗膜によって構成される。図４（Ｂ）に示すように、本実施形態に係るクリーム色遮熱塗膜４６には、反射面４４の反射率を向上させる赤外線反射顔料４０が含まれる。
【００４２】
本実施形態に係るクリーム色遮熱塗膜４６は、酸化珪素またはＴｉＯ２を主成分とする赤外線反射顔料４０を含んでいることが好ましく、赤外領域の光の反射率が高い。ただし、クリーム色遮熱塗膜４６に含まれる赤外線反射顔料４０としては、酸化珪素やＴｉＯ２を主成分とするものに限定されず、Ｓｉ，Ａｌ，Ｔｉ，Ｆｅ，Ｚｎ，Ｃｏ，Ｍｇ，Ｃａ，Ｓｒ，Ｂａ，Ｃｕの酸化物等を、クリーム色遮熱塗膜４６に含まれる樹脂や他の顔料等に合わせて用いることができる。
【００４３】
本実施形態に係るクリーム色遮熱塗膜４６は、赤外線反射顔料４０の他に、赤外線反射顔料４０を取り囲むように層を形成している樹脂や、反射面の色をクリーム色にするための顔料を有する。すなわち、クリーム色遮熱塗膜４６は、樹脂のモノマーの中に、赤外線反射顔料４０および他の顔料を分散させた塗料を、基材３６の表面に塗布等することによって、形成することができる。
【００４４】
図５は、図４に示す反射面４４と、図８に示す第２参考例に係るレンズ鏡筒に備えられる外装面９０の分光反射率を表すグラフである。図５では、第２実施形態に係る反射面４４の概算データを実線４５で示し、第２参考例に係る外装面９０の概算データを、点線９１で示す。
【００４５】
図５において実線４５で示すように、反射面４４は、波長４００ｎｍ以上７００ｎｍ未満の光の反射率が２０％以上６０％以下であり、波長１０００ｎｍ以上１７００ｎｍ未満の光の反射率が６０％以上である。
【００４６】
反射面４４は、赤外領域に含まれる波長１０００ｎｍ以上１７００ｎｍ未満の光を反射する反射率が、可視光領域に含まれる波長４００ｎｍ以上７００ｎｍ未満の光の反射率より高い。したがって、反射面４４を備える筒状部は、当該反射面４４と可視光反射率が同等である従来技術にかかる外装面９０を備えるレンズ鏡筒と比較して、日射等によってレンズ鏡筒の温度が上昇することをより効果的に防止できる。
【００４７】
図８（Ａ）は、本発明の第２参考例に係るレンズ鏡筒の断面図であり、図８（Ｂ）は、図８（Ａ）に示す外装面９０の拡大模式図である。図７（Ａ）に示すように、外装面９０は、基材９４と、基材９４の表面に形成されたクリーム色塗膜９２によって構成される。
【００４８】
図８（Ｂ）に示すように、クリーム色塗膜９２は、基材９４の外側表面に形成された塗膜であり、可視光の反射率についてはクリーム色遮熱塗膜４６と同等である。しかし、クリーム色塗膜９２を有する外装面８０は、図５において点線９１で示すように、赤外領域に含まれる波長１０００ｎｍ以上１７００ｎｍ未満の光を反射する反射率が、可視光領域に含まれる波長４００ｎｍ以上７００ｎｍ未満の光の反射率より低い。そのため、このような外装面８０を備えるレンズ鏡筒は、日射による温度上昇を十分に抑制できないという問題を有している。
【００４９】
本実施形態に係る反射面４４は、図５おいて実線４５で示すように、赤外領域に含まれる波長１０００ｎｍ以上１７００ｎｍ未満の光を反射する反射率が、可視光領域に含まれる波長４００ｎｍ以上７００ｎｍ未満の光の反射率より高く、従来技術に係る外装面９０が有する問題が解決されている。すなわち、クリーム色遮熱塗膜４６を有する反射面４４は、赤外線遮熱顔料４０を有するため、赤外領域に含まれる波長１０００ｎｍ以上１７００ｎｍ未満の光の反射率が、クリーム色塗膜９２を備える外装面９０より高い。
【００５０】
このように、第２実施形態に係るレンズ鏡筒は、図２に示す反射面４４を備える筒状部を含むため、第１実施形態に係るレンズ鏡筒１０と同様に、日射等によるレンズ鏡筒１０の温度上昇を、効果的に防止できる。また、第２実施形態に係るレンズ鏡筒は、第１実施形態に係るレンズ鏡筒１０と同様の効果を有する。なお、図４（Ｂ）に示すクリーム色遮熱塗膜４６には、赤外領域の光の反射率を高めるために、図２（Ｂ）に示す金属粒子３８が含まれてもよい。
【００５１】
第３実施形態
図６は、本発明の第３実施形態に係るレンズフード５０および当該レンズフード５０が取り付けられるレンズ鏡筒５２の全体図である。レンズフード５０は、レンズ鏡筒５２の光通過領域に不要な光が入射することを防止するものであり、レンズ鏡筒５２における被写体側の端部５２ａに取り付けられる。
【００５２】
レンズフード５０は、第１実施形態における反射面２４と同様に、波長４００ｎｍ以上７００ｎｍ未満の光の反射率が１５％以下であり、波長１０００ｎｍ以上１７００ｎｍ未満の光の反射率が５０％以上である反射面５４が全体に備えられた筒状部５３を有する。
【００５３】
反射面５４を備える筒状部５３を有するため、レンズフード５０は、第１実施形態に係るレンズ鏡筒１０と同様に、日射等によるレンズフード５０の温度上昇を抑制することが可能である。したがって、野外イベントの撮影時のように、レンズフード５０が多量の日射を受ける環境で使用された場合であっても、撮影者は、レンズフード５０を素手で触れながら、レンズ鏡筒５２の向きを変えたり、保持したりすることができる。
【００５４】
レンズフード５０の筒状部５３に備えられる反射面５４は、第１実施形態に係る反射面２４と同様に、基材の外側に形成されるメタリック遮熱塗膜を有していても良い。この場合、レンズフード５０の基材は、カーボン・樹脂複合材料（ＣＦＲＰ）等によって構成することが、剛性確保および軽量化等の観点から好ましい。第３実施形態に係るメタリック遮熱塗膜は、第１実施形態におけるメタリック遮熱塗膜３２（図２（Ｂ）等参照）と同様とすることができる。また、第３実施形態に係るレンズフード５０は、第１実施形態に係るレンズ鏡筒１０と同様の効果を有する。
【００５５】
なお、レンズフード５０の筒状部５３に備えられる反射面５４は、第２実施形態に係る反射面４４と同様に、基材の外側に形成されるクリーム色遮熱塗膜を有していても良い。この場合、レンズフード５０の筒状部５３に備えられるクリーム色遮熱塗膜は、第２実施形態におけるクリーム色遮熱塗膜４６（図４（Ｂ）等参照）と同様とすることができる。
【００５６】
その他の実施形態
図１に示すレンズ鏡筒１０において、反射面２４，４４は、筒状部１２だけでなく、支持台取付部１６におけるリング部１７および座部１８等に備えられていても良い。リング部１７および座部１８等も、レンズフード５０と同様に、撮影者が手で触れやすい位置に配置されている。そのため、リング部１７や座部１８等に反射面２４が備えられるレンズ鏡筒１０は、野外イベント等で使用された場合であっても、反射面２４が備えられる部材の温度上昇が防止されるため、撮影者が快適に操作を行うことができる。
【符号の説明】
【００５７】
１０…  レンズ鏡筒
１２，５３…  筒状部
１５…  光通過領域
２４，４４，５４…  反射面
３２…  メタリック遮熱塗膜
３６…  基材
３８…  金属粒子
４０…  赤外線反射顔料
４６…  クリーム色遮熱塗膜
５０…  レンズフード
【図１】
2010262181.tif 000003
【図２】
2010262181.tif 000004
【図３】
2010262181.tif 000005
【図４】
2010262181.tif 000006
【図５】
2010262181.tif 000007
【図６】
2010262181.tif 000008
【図７】
2010262181.tif 000009
【図８】
2010262181.tif 000010